(57)【要約】本発明は、頭部に装着される装置（４０）用の支持具（１）に関し、これは、弓形のベース（２）及びその前方端部（３）の区域内の支持部材（１０）を備え、前記支持部材は使用者の前方にあり、支持部材（１０）は更なる部分においては、例えばその中央部分（４）については、前記支持部材が使用者の頭頂部の区域内で使用者の頭部上にあり、更に使用者の頭部の後方にある支持部材（１０）は弓形部材（２）の後方端部の区域内でその上に配置される。全ての支持部材（１０）は、弓形部材（２）に関して調節可能とすることができる。弓形部材（２）の一方の端部（３）、特に前方端部には、装置（４０）を取り付けることができる。かかる装置（４０）は、視覚支援装置又は同等品とすることができる。弓形部材（２）の他方の端部（５）、特に後方端部においては、電子部品及び／又は平衡の目的の平衡重りが設けられ、これらは後頭部にある支持部材（１０）を調節するためにスライド（２２）に組み合わせられたハウジング（３０）内に配置されることが好ましい。
2005525845.tif 000002
【特許請求の範囲】
【請求項１】
例えば光学式視覚支援装置又は同等品又は保護装置のような頭部に装着される装置（４０）用の支持具（１）であって、使用者の頭部に置き得る数個の支持部材（１０）を担持する弓形のベース体（２）を特徴とする支持具。
【請求項２】
弓形部材（２）の前方端部（３）の区域に１個の支持部材（１０）があり、前記端部が使用者の前頭部の区域内の使用位置に置かれる請求項１に請求された支持具。
【請求項３】
使用者の頭頂部の区域内の使用位置に置かれた弓形部材（２）の中央部分（４）の区域内に少なくも１個の支持部材（１０）［がある］請求項１又は２に請求された支持具。
【請求項４】
使用者の後頭部の区域内の使用位置に置かれた弓形部材（２）の後方端部（５）の区域内に少なくも１個の支持部材（１０）がある請求項１から３の一に請求された支持具。
【請求項５】
支持部材（１０）が、２個以上の支持部材（１０）の数グループ（６、７、８）に組み合わせられる請求項１から４の一に請求された支持具。
【請求項６】
支持部材（１０）が、弓形部材（２）上に旋回可能に支持される請求項１から５の一に請求された支持具。
【請求項７】
少なくも個々の支持部材（１０）が、弓形部材（２）のすべての側に自由に旋回し得るように支持される請求項６に旋回された支持具。
【請求項８】
支持部材（１０）の旋回能力が限定され、又は限定し得る請求項７に請求された支持具。
【請求項９】
支持部材（１０）が、レバー（１２）上で旋回可能に支持される請求項６から８の一に請求された支持具。
【請求項１０】
それらの部品用のレバー（１２）が、ベースレバー（１４）を介して弓形部材（２）上に旋回可能に支持される請求項９に請求された支持具。
【請求項１１】
支持部材（１０）が、使用者の頭部に対して置き得るクッションを有する請求項１から１０の一に請求された支持具。
【請求項１２】
クッションに負圧を供給し得る請求項１１に請求された支持具。
【請求項１３】
弓形部材（２）の後方端部（５）の区域内の支持部材（１０）が、弓形部材（２）の長手方向において動き得る請求項２から１２の一に請求された支持具。
【請求項１４】
弓形部材（２）の後方端部（５）の区域内の支持部材（１０）が、弓形部材（２）の後方端部に沿って動き得るキャリヤー、例えばキャリッジ（２２）上に置かれる請求項１３に請求された支持具。
【請求項１５】
キャリッジ（２２）を動かすための止めネジ（２４）のような作動用装置がある請求項１４に請求された支持具。
【請求項１６】
キャリッジ（２２）上に、電子部品及び同等品及び／又は平衡重りのための保持用空間を有するハウジング（３０）がある請求項１４又は１５の一に請求された支持具。
【請求項１７】
キャリッジ（２２）上及び／又は弓形部材（２）上に、伝送用部材、例えば、電力供給線、データ線、制御線及び同等のような線を接続するためのソケット又は赤外線ポート、ジャックのための接続点が少なくも１個ある請求項１４から１６の一に請求された支持具。
【請求項１８】
弓形部材（２）の後方端部（５）が真っすぐに作られる請求項１から１７の一に請求された支持具。
【請求項１９】
弓形部材（２）の後方端部（５）が湾曲して作られる請求項１から１７の一に請求された支持具。
【請求項２０】
弓形部材（２）の中央部分（４）が真っすぐに作られる請求項１から１９の一に請求された支持具。
【請求項２１】
弓形部材（２）の中央部分（４）が湾曲して作られる請求項１から１９の一に請求された支持具。
【請求項２２】
弓形部材（２）の中央部分（４）に置かれた支持部材（１０）が、好ましくは弓形部材（２）と平行に走る少なくも２列に配列される請求項３から２１の一に請求された支持具。
【請求項２３】
支持部材（１０）が、弓形部材（２）の中央部分（４）において動き得るように配列されたキャリッジ（２０）により担持される請求項３から２２に請求された支持具。
【請求項２４】
支持部材（１０）が、弓形部材（２）を横切って揃えられた列で、弓形部材（３）の前方端部に置かれる請求項２から２３の一に請求された支持具。
【請求項２５】
支持部材（１０）が、弓形部材（２）を横切って揃えられた列で、弓形部材（３）の後方端部（５）に置かれる請求項４から２４の一に請求された支持具。
【請求項２６】
弓形部材（２）の一方の端部上、好ましくは前方端部（３）上に、支持具（１）に取り付けられる少なくも１個の装置（４０）又は仕組みのための連結点がある請求項１から２５の一に請求された支持具。
【請求項２７】
旋回駆動装置が、支持具（１）に取り付けられる装置（４０）用の連結点（５０）に配備される請求項２６に請求された支持具。
【請求項２８】
連結点（５０）に取り付けられる装置（４０）が、旋回駆動装置により、所与の選択的に調整可能なベース位置から進めて動かすことができる請求項２７に請求された支持具。
【請求項２９】
弓形部材（２）が中空に作られる請求項１から２８の一に請求された支持具。
【請求項３０】
弓形部材（２）に溝（２６）がある請求項１から２９の一に請求された支持具。
【請求項３１】
弓形部材（２）の中央部分（４）の区域に溝（２６）がある請求項１から３０の一に請求された支持具。
【請求項３２】
装着者の頭部に隣接した少なくも１個のセンサーが装備され、そしてこれが装着者の測定された身体値及び現在の心拍数を受け入れる請求項１から３１の一に請求された支持具。
【請求項３３】
少なくも１個の支持部材（１０）がセンサーとして作られる請求項３２に請求された支持具。
【請求項３４】
弓形部材（２）上に、電子部品及び同等品のための保持用空間を有する少なくも１個のハウジング（３０）がある請求項１から３３の一に請求された支持具。
【発明の詳細な説明】
【技術分野】
【０００１】
本発明は、頭部に装着される装置用の支持具に関する。
【背景技術】
【０００２】
従来技術において、例えば、特許文献１を参照した支持具が知られている。
【０００３】
この公知の支持具は、例えば、外科処置の際の視覚保持を支援するために外科医が使用することができる。この公知の支持具は、比較的複雑な方法で作られるだけでなく、使用者の頭部の形状及び大きさに容易に適合させることができない。更に、この公知の支持具を装着することも難しい。
【０００４】
頭部に装着される公知の装置用支持具は、一般に、頭部を囲みかつ使用の際には使用者の頭部に帽子のリボンと同様に配置されるリング、及び使用者の頭部の前頭部から後頭部に走る頂部バンドを備える。
【０００５】
特許文献１は、装着具合を良くするために、これら支持具において、支持具に取り付けられた例えば外科医用の視覚支援装置の重量を、後頭部区域に取り付けられた平衡重りによりできるだけ平衡させることを明らかにする。
【特許文献１】ＷＯ０１／００３８１９号  明細書
【特許文献２】ＷＯ９６／０９５６６Ａ号  明細書
【発明の開示】
【発明が解決しようとする課題】
【０００６】
本発明の目的は、構造が簡単でかつ装着が極めて快適な最初に述べた形式の支持具を利用可能とすることである。
【課題を解決するための手段】
【０００７】
この目的は、本発明において請求される請求項１の特徴を有する支持具により達成される。
【０００８】
本発明により請求される支持具の好ましくかつ有利な実施例が、従属請求項の主題である。
【０００９】
本発明において請求される支持具は、使用者の前頭部の前面から後頭部の後方に伸び、かつ数個の支持部材を介して頭部上に支持される弓形部材の基本構造体よりなる。弓形部材上に置かれた支持部材のため、本発明に請求される支持具は、支持部材をそれらの位置及び／又は整列に関して変更することにより、使用者の頭部の形状に容易に適合させることができる。
【００１０】
本発明において請求される支持具を頭部の種々の形状及び／又は大きさに適合させることは、グループに組み合わせられた支持部材が支持具の弓形部材上に配列されたとき、特に容易に行うことができる。本発明の支持具の一実施例においては、少なくも１グループの支持部材が弓形部材に調節可能に取り付けられる。そこで、支持具は、これを頭部の大きさに迅速に適合させることができ、支持具の着脱が容易になる。
【００１１】
本発明の枠組み内において、支持部材がクッション様に作られた場合、これが好ましい。
【００１２】
支持部材は数方向で旋回可能に弓形部材上に支持することができ、このため、これらの位置関係は、支持部材が隣接した区域内における使用者の頭部の位置関係に自動的に適合できる。支持の確実な適合を更に保証するために、ある限定された角度で、従ってある限定された区域内で自由に旋回できる支持部材を提供することができる。
【００１３】
実際的な一実施例において、数個の支持部材グループに選択的に組み合わせられて、使用者の前頭部の区域内にある弓形部材の端部、後頭部の区域内にある弓形部材の端部、及び弓形部材の中央部分に置かれる支持部材を提供する。
【００１４】
支持部材が弓形部材の前方端部及び弓形部材の後方端部に置かれ、それぞれが、弓形部材の中央部分に置かれた支持部材とは異なって、弓形部材を好ましくは横切って伸びる列内にある支持部材を提供することができる。従って、使用者の頭頂部の区域において確り適合した支持部材が、弓形部材の両側に置かれかつ好ましくは弓形部材と本質的に平行に揃えられた少なくも２個の列の中にある。
【００１５】
支持部材の運動能力は、支持部材が弓形部材上で、好ましくはレバー上で旋回可能に支持されることにより達成可能である。この場合、支持部の置かれたレバーであって、支持具の弓形部材に旋回可能に支持されたベースレバーにより旋回可能に支持される前記レバーを設けることができる。
【００１６】
弓形部材の前方端部、従って使用者の前頭部の区域に置かれた端部に、支持具に取り付けられる装置のための連結点を設けることができる。これら装置は、外科医により使用される視覚支援装置又は例えばズーム及び自動焦点付きの精密機構、例えば特許文献２及び／又は特許文献１に説明された構造の視覚支援装置とすることができる。しかし、本発明に請求される支持具においては、データ、説明図、及び同様な事項を表示する表示装置、暗視装置、スポットライト、ライト、保護装置（溶接用シールド）、保護シールド、及び同等品のような頭部に装着されるその他の装置も取り付けられる。
【００１７】
本発明において請求される支持具においては、支持部材は、使用者の頭部のそれぞれの位置に適合するために、種々に作ることができ及び／又は種々の材料より構成することができる。従って、支持部材の形式及び構成は、これらが使用者の皮膚又は毛髪のどちらに隣接するかを考慮することができる。
【００１８】
本発明の一実施例においては、本発明において請求される支持具は、使用者の頭部への適合を改良するために、負圧が供給されるクッションを有する支持部材を提供することができる。
【００１９】
本発明において請求される支持具の弓形部材の前方端部であって使用者の前頭部の区域内にある前記端部に取り付けられる装置と、本発明において請求される支持具のその他の部分との間で少なくも部分的に重量平衡を達成するために、電子部品及び同等品並びに電力供給及び／又はデータ及び／又は制御用の線の接続のための、例えばソケット又は赤外線ポートのような伝達部材用の接続点のような重い構成部品を、弓形部材の後方端部に区域内に設けることが提供される。これらの重い部品は、例えば弓形部材の中央部分の区域内にも設けることができる。
【００２０】
本発明において請求される支持具を頭部の大きさに容易に適合させるために、使用者の頭部の後方の後方端部の区域において確り適合する支持部材が、選択的にレバー／ベースレバーを介して、弓形部材の後方端部上を動き得るキャリヤー、例えばキャリッジに取り付けられる。このキャリッジの調整は、例えば、制御ノブの設けられた止めネジによることができる。
【００２１】
弓形部材の中央部分に置かれた支持部材は、支持具使用者の頭頂部との接触に都合のよい位置に動かすために、キャリヤー、例えばキャリッジ上を、弓形部材に沿って動き得るように取り付けることができる。
【００２２】
本発明において請求される支持具に取り付けられかつ好ましくは弓形部材の前方端部の区域内にある装置のための連結点に、旋回手段が配備される。かかる旋回手段により、装置は、使用位置から外れて非使用位置に旋回することができる。このことは、例えば視覚支援装置に対して、外科医が例えば視覚支援装置を使うことなく外科処置野の概観を得たいとき、この目的のために視覚支援装置を旋回させねばならない外科医にとって重要である。ここで、装置をその使用位置に戻すように旋回させるとき、いかなる場合でも、自動的にかつ更なる支援なしにその基本位置に達することが提供される。旋回、特に内向き及び／又は外向きの旋回は、手動により、或いは旋回手段に配備された駆動装置により行うことができる。
【００２３】
支持具の弓形部材は、弓形部材に取り付けられる装置に出入りする電力供給線、制御及び／又はデータ通信用の線を受け入れるために、中空に作ることができる。加えて、支持具の弓形部材において、特に頭頂部区域において、線、例えば冷灯用の線を保持するために頂部に開口した溝を設けることができる。
【００２４】
本発明において請求される支持具のその他の詳細、特徴、及び利点は、図面を使用して以下の一実施例の説明から理解されるであろう。
【発明を実施するための最良の形態】
【００２５】
図１及び２に示されるように、本発明において請求される支持具１は、本発明に請求される支持具１が使用者の頭部上に置かれたとき、使用者の前頭部の区域に置かれる前方端部３、使用者の頭頂部の区域に置かれる中央部分４、及び使用者の後頭部の区域に置かれる後方端部５を有する弓形部材２を備える。
【００２６】
本発明において請求される支持具１の弓形部材２の前方端部３の区域、中央部分４の区域、及び後方端部５の区域に、それぞれ、数個の支持部材１０よりなるグループ６、７、及び８がある。この実施例における弓形部材２の前方端部３の区域において提供されるグループ６は、丸いクッションの方法で作られた４個の支持部材１０を持つ。弓形部材２の中央部分４の区域においては、グループ７は、丸いクッションの形式で弓形部分２の両側に置かれた支持部材１０を持つ（図２及び３）。弓形部材２の後方部分５の区域に置かれたグループ８は、丸いクッションの形式の４個の支持部材１０を持つ。
【００２７】
弓形部材２の前方端部３の区域におけるグループ６の支持部材１０及び後方端部５の区域におけるグループ８の支持部材１０は、それぞれ、弓形部材２の長手方向（対称面）を横切って整列される。弓形部材２の中央部分に置かれたグループ７の支持部材１０は、弓形部材２の両側の整列された２列において、中央部分４と本質的に平行に配列される（図３）。
【００２８】
本実施例において丸いクッションとして作られた支持部材１０は、これらが確り適合する使用者の頭部の区域の形状及び／又は位置に容易に適合するように、支持部材１０は弓形部材２に旋回可能に取り付けられる。
【００２９】
この実施例においては、支持部材１０は、例えばピボット玉軸受を介してレバー１２に旋回可能に取り付けられる。端部に１個のクッション状支持部材１０を有するこれらレバー１２の各は、同時に、その中央区域において、他のレバー、ベースレバー１４に関節式に取り付けられる。ベースレバー１４は、その部品のために支持具１の弓形部材２に旋回可能に支持される。レバー１２は、ベースレバー１４上で軸又はピボット（玉軸受）を中心として旋回することができる。弓形部材２のベースレバー１４は、玉軸受の方法で軸回り又は旋回点回りに旋回することができる。これら２種の旋回（一方では軸回りの旋回と他方ではピボット（玉軸受）回りの旋回）の可能性の組合せが可能である。例えば、レバー１２及びベースレバー１４の上の支持部材１０は、弓形部材２の全ての側への旋回が可能であり、かつレバー１２は、好ましくは弓形部材２の対称面に直角に整列された軸を中心として旋回できるように、ベースレバー１４上に支持される。
【００３０】
弓形部材２の中央部分４の支持部材１０のグループ７はキャリッジ２０に取り付けられ、このキャリッジは中央部分４の長手方向で動くことができ、更に希望位置に固定することができる。
【００３１】
弓形部材２の後方端部５の区域内の支持部材１０のグループ８はキャリッジ２２に取り付けられ、このキャリッジは、制御ノブ２４の装備された止めネジを使用して、弓形部材２の、図示実施例においては真っすぐな後方端部５に沿って動かすことができる。
【００３２】
本発明において請求される支持具１を使用者の頭部の形状に適合させるために、図示実施例においては湾曲した平坦部に作られた弓形部材２の中央部分４における支持部材１０の調節可能性が主に使用される。
【００３３】
弓形部材２の後方部分５の区域における支持部材１０の、従って使用者の後頭部に隣接する支持部材１０の調節可能性は、主に、支持具１が使用されるときの支持具１の装着に使用される。例えば、装着時に後方に押されている支持部材１０のグループ８を有する支持具１は、グループ６及び７の支持部材１０を使用者の頭部に確り適合させ、次いで、キャリッジ２２を動かして支持具１０を後頭部に接触させることにより装着される。このようにして、グループ６の支持部材１０を前頭部の区域に、グループ８を後頭部の区域に、更にグループ７を頭頂部の区域に確り適合させることにより、使用者の頭部における支持具１の確実な適合が達成される。
【００３４】
後方支持部材１０が置かれた弓形部材２の後方の直線状端部５上のキャリッジ２２は、電子部品及び／又は重りを保持するハウジング３０を持つことができる。この重りは、弓形部材２の前方端部３に取り付けられた装置４０（図６及び７）との間の重量の平衡を達成し、従って支持部材１０のグループ７の区域における支持により支持具１が本質的に平衡状態となる。
【００３５】
キャリッジ２２上及び／又は弓形部材２上のハウジング３０の壁の中に、伝達部材用の少なくも１個の接続点、例えば電力供給用、データ及び／又は制御用の線の接続のためのソケット３２又は赤外線ポートがある。
【００３６】
弓形部材２は、その前方端部に取り付けられた装置４０に往復する線をその内部に収容するように中空に作られることが好ましい。
【００３７】
加えて、特に頭頂部において、弓形部材の外側に、少なくも１本の線を保持するための溝２６を設けることができる（図２及び４）。ここでは、線は、例えば弓形部材２に取り付けられ、特に溝２６の前方端部に置かれた冷光源用の線とすることができる。この冷光源は、頭部に取り付けられたスポットライトの方法で視野を照明し、従って本発明において請求される支持具１の使用者の頭の運動に追随する。
【００３８】
この実施例における前方端部でありかつ本発明により請求される支持具１の使用者の前頭部の区域内にほぼ置かれる弓形部材２の端部３に、本発明において請求される支持具１を介して使用者の頭部に装着される装置４０のための連結点５０がある。
【００３９】
図示実施例においては、図６及び７において、例えば外科処置の際に外科医により使用される光学的視覚支援装置４０を、本発明において請求される支持具１に取り付けることができる。
【００４０】
これを行うために、光学的視覚支援装置４０にはレバーシステム４２、４３があり、これは、ひざ継手の方法で作られ、かつその自由端４４が支持具１の弓形部材２の前方端部３に取り付けられる。支持具１に取り付けられる装置４０のために、連結点５０に旋回用の装置があり、これが、例えば図６に示された使用位置から準備位置への装置４０の旋回を可能にする。装置４０が図６及び７に示された使用位置に旋回して戻されたとき常に同じ（選択的にプリセットされた）初期位置に到達するように、弓形部材２の前方端部３の区域における連結点５０の旋回装置が整列される。旋回は、手により又は（モーター付きの）旋回駆動装置の使用により行うことができる。
【００４１】
連結点５０のこの実施例は、例えば、外科処置中に外科医のために、外科処置野全体を概観するために（例えば足操作式のスイッチにより開始された）連結点５０の旋回駆動を使用して視覚支援装置４０を旋回させて上げ、その後、視覚支援装置４０を旋回させて使用位置（図６及び７）に戻すことにより、外科処置の継続を可能とする。光学式視覚支援装置４０が、旋回後、前にあった位置に確実に正確に戻されることが有利である。一方の手を視覚支援装置４０に、他方の手を弓形部材２の前方端部３に置き、レバーシステム４２、４３を、従ってレバーシステムの２個の部品４２、４３のなす角度を、互いに調整することにより使用位置を取ることができる。
【００４２】
概説すれば、本発明の好ましい一実施例は以下のように説明することができる。
【００４３】
頭部に装着される装置４０用の支持具１は、本質的に弓形のベース体２、その前方端部３の区域において使用者の前頭部に隣接する支持部材１０、別の例えば中央部分４において使用者の頭頂部に隣接する頂部区域の支持部材１０、及び弓形部材２の後方端部５の区域に置かれかつ使用者の後頭部に隣接する支持部材１０を持つ。全ての支持部材１０は、弓形部材２に関して調節可能とすることができる。装置４０は、弓形部材２の一方の端部３、特に前方端部に取り付けることができる。かかる装置４０は、視覚支援装置又は同等品とすることができる。一方、特に弓形部材２の後方端部５には、重量平衡用として、好ましくはハウジング３０内の電子部品及び／又は平衡重りがあり、このハウジングは、後頭部に隣接する支持部材１０を調整するためにカートリッジに連結される。
【図面の簡単な説明】
【００４４】
【図１】取り付けられた装置のないときの本発明に請求される支持具を側面図において示す。
【図２】斜め前上方から見た図１の支持具を示す。
【図３】上方から見た図１の支持具を示す。
【図４】図１の線Ｃ−Ｃに沿った断面を示す。
【図５】図１の線Ｅ−Ｅに沿った断面を示す。
【図６】光学式の視覚支援形式の装置が取り付けられ、使用者の頭部上に置かれた支持具を側面図で示す。
【図７】光学式視覚支援装置が取り付けられた本発明に請求された支持具を斜め前方から見た斜視図で示す。
【図１】
2005525845.tif 000003
【図２】
2005525845.tif 000004
【図３】
2005525845.tif 000005
【図４】
2005525845.tif 000006
【図５】
2005525845.tif 000007
【図６】
2005525845.tif 000008
【図７】
2005525845.tif 000009
【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
例えば光学式視覚支援装置又は同等品又は保護装置のような頭部に装着される装置（４０）用の支持具（１）において、使用者の頭部に対して置き得る数個の支持部材（１０）を担持する弓形のベース体（２）を有し、弓形部材（２）の２個の端部（３、５）の区域及び中央部分（４）の区域に支持部材（１０）があり、更に支持部材（１０）がレバー（１２、１４）を介して弓形部材（２）の全ての側に自由に旋回できるように支持されている前記支持具であって、
使用者の前頭部の区域内の使用位置に置かれた弓形部材（２）の前方端部（３）の区域内、更に、使用者の頭頂部の区域内の使用位置に置かれた弓形部材（２）の中央部分（４）の区域内、及び使用者の頭部の後方の区域内の使用位置に置かれた弓形部材（２）の後方端部（５）の区域内に支持部材（１０）があること、並びに弓形部材（２）の後方端部（５）の区域内の支持部材（１０）が、弓形部材（２）の後方端部（５）に沿って動き得るキャリヤー、例えばキャリッジ（２２）上に置かれること
を特徴とする支持具。
【請求項２】
支持部材（１０）が、２個以上の支持部材（１０）の数グループ（６、７、８）に組み合わせられる請求項１に請求された支持具。
【請求項３】
支持部材（１０）の旋回能力が限定され、又は限定し得る請求項１又は２に請求された支持具。
【請求項４】
支持部材（１０）が、レバー（１２）上で旋回可能に支持される請求項１から３の一に請求された支持具。
【請求項５】
それらの部品用のレバー（１２）が、ベースレバー（１４）を介して弓形部材（２）上に旋回可能に支持される請求項４に請求された支持具。
【請求項６】
支持部材（１０）が、使用者の頭部に対して置き得るクッションを有する請求項１から５の一に請求された支持具。
【請求項７】
クッションに負圧を供給し得る請求項６に請求された支持具。
【請求項８】
弓形部材（２）の後方端部（５）の区域内の支持部材（１０）が、弓形部材（２）の長手方向において動き得る請求項１から７の一に請求された支持具。
【請求項９】
キャリッジ（２２）を動かすための止めネジ（２４）のような作動用装置がある請求項１から８の一に請求された支持具。
【請求項１０】
キャリッジ（２２）上に、電子部品及び同等品及び／又は平衡重りのための保持用空間を有するハウジング（３０）がある請求項１から９の一に請求された支持具。
【請求項１１】
キャリッジ（２２）上及び／又は弓形部材（２）上に、伝送用部材、例えば、電力供給線、データ線、制御線及び同等のような線を接続するためのソケット又は赤外線ポート、ジャックのための接続点が少なくも１個ある請求項１から１０の一に請求された支持具。
【請求項１２】
弓形部材（２）の後方端部（５）が真っすぐに作られる請求項１から１１の一に請求された支持具。
【請求項１３】
弓形部材（２）の後方端部（５）が湾曲して作られる請求項１から１１の一に請求された支持具。
【請求項１４】
弓形部材（２）の中央部分（４）が真っすぐに作られる請求項１から１３の一に請求された支持具。
【請求項１５】
弓形部材（２）の中央部分（４）が湾曲して作られる請求項１から１４の一に請求された支持具。
【請求項１６】
弓形部材（２）の中央部分（４）に置かれた支持部材（１０）が、好ましくは弓形部材（２）と平行に走る少なくも２列に配列される請求項１から１５の一に請求された支持具。
【請求項１７】
支持部材（１０）が、弓形部材（２）の中央部分（４）において動き得るように配列されたキャリッジ（２０）により担持される請求項１から１６の一に請求された支持具。
【請求項１８】
支持部材（１０）が、弓形部材（２）を横切って揃えられた列で、弓形部材（３）の前方端部に置かれる請求項１から１７の一に請求された支持具。
【請求項１９】
支持部材（１０）が、弓形部材（２）を横切って揃えられた列で、弓形部材（３）の後方端部（５）に置かれる請求項１から１８の一に請求された支持具。
【請求項２０】
弓形部材（２）の一方の端部上、好ましくは前方端部（３）上に、支持具（１）に取り付けられる少なくも１個の装置（４０）又は仕組みのための連結点がある請求項１から１９の一に請求された支持具。
【請求項２１】
旋回駆動装置が、支持具（１）に取り付けられる装置（４０）用の連結点（５０）に配備される請求項２０に請求された支持具。
【請求項２２】
連結点（５０）に取り付けられる装置（４０）が、旋回駆動装置により、所与の選択的に調整可能なベース位置から進めて動かすことができる請求項２１に請求された支持具。
【請求項２３】
弓形部材（２）が中空に作られる請求項１から２２の一に請求された支持具。
【請求項２４】
弓形部材（２）に溝（２６）がある請求項１から２３の一に請求された支持具。
【請求項２５】
弓形部材（２）の中央部分（４）の区域に溝（２６）がある請求項２４に請求された支持具。
【請求項２６】
装着者の頭部に隣接した少なくも１個のセンサーが装備され、そしてこれが装着者の測定された身体値及び現在の心拍数を受け入れる請求項１から２５の一に請求された支持具。
【請求項２７】
少なくも１個の支持部材（１０）がセンサーとして作られる請求項２６に請求された支持具。
【請求項２８】
弓形部材（２）上に、電子部品及び同等品のための保持用空間を有する少なくも１個のハウジング（３０）がある請求項１から２７の一に請求された支持具。
【国際調査報告】
2005525845.tif 000010
2005525845.tif 000011
2005525845.tif 000012
2005525845.tif 000013
2005525845.tif 000014
2005525845.tif 000015
2005525845.tif 000016
2005525845.tif 000017